(57)【要約】【課題】本発明は、ナビゲーション装置において、使い勝手を向上させることを目的とするものである。【解決手段】制御部８は、入力部１１によって、ピックアップ希望情報が入力された場合で、ディスプレイ（表示部の一例）１０に表示されている現在位置の地図上において、そのピックアップ希望情報に合致するオンライン地点が情報保存部１３に存在するときには、オンライン地点と、このオンライン地点の他者評価を、ディスプレイ１０に表示させるものであるので、他者評価を参考として目的地設定を行うことになる。【選択図】図２
2013152098.tif 000002
【特許請求の範囲】
【請求項１】
現在位置を取得する現在位置取得手段と、この現在位置取得手段に接続された制御部と、この制御部に接続された地図情報記憶部、ディスプレイ、入力部、およびオンライン通信部と、このオンライン通信部で受信した情報を保存する情報保存部とを備え、前記制御部は、前記入力部によって、ピックアップ希望情報が入力された場合で、前記表示部に表示されている現在位置の地図上において、そのピックアップ希望情報に合致するオンライン地点が前記第１の情報保存部に存在するときには、以下の（１）（２）の動作を実行させる構成としたナビゲーション装置。
（１）オンライン地点と、このオンライン地点の他者評価を、前記表示部に表示させる。（２）（１）の表示部に表示されたオンライン地点を目的地設定した場合には、表示部に自評価入力欄を表示させる。
【請求項２】
制御部は、表示部に表示されたオンライン地点を目的地設定した場合には、目的地到着後、表示部に自評価入力欄を表示させる構成とした請求項１に記載のナビゲーション装置。
【請求項３】
制御部は、表示部に表示された自評価入力欄に、自評価を入力した場合には、このオンライン地点に関する自評価入力欄を、以降は、非表示とする請求項１または２に記載のナビゲーション装置。
【発明の詳細な説明】
【技術分野】
【０００１】
本発明は、自動車などに装着されるナビゲーション装置に関するものである。
【背景技術】
【０００２】
近年、例えば携帯電話にて取得したオンライン情報を、ナビゲーション装置に取り込むことで、利便性を高めたものが提案されている。
例えば、下記特許文献１に記載されたものでは、現在位置の近傍で、開店状態の店を探してディスプレイに表示し、その情報を活用して、目的地設定を行うようにしている。
このため、到着した状態で目的地が閉店していたと言う事態にはならず、極めて利便性の高いものとなる。
【先行技術文献】
【特許文献】
【０００３】
【特許文献１】特開２００９−１４５２３４号公報
【発明の概要】
【発明が解決しようとする課題】
【０００４】
上記従来例においては、目的地設定した店が閉店していたと言うことにはならないので、その点では利便性の高いものになるが、訪れたのは良いが、例えば店が食堂であった場合、料理の味や店の雰囲気が好ましくない状態の時には、かえってガッカリとすることも多く、このときには、使い勝手の悪いものになる。
【０００５】
そこで本発明は、使い勝手を向上することを目的とするものである。
【課題を解決するための手段】
【０００６】
そして、この目的を達成するために本発明は、現在位置を取得する現在位置取得手段と、この現在位置取得手段に接続された制御部と、この制御部に接続された地図情報記憶部、ディスプレイ、入力部、およびオンライン通信部と、このオンライン通信部で受信した情報を保存する情報保存部とを備え、前記制御部は、前記入力部によって、ピックアップ希望情報が入力された場合で、前記表示部に表示されている現在位置の地図上において、そのピックアップ希望情報に合致するオンライン地点が前記情報保存部に存在するときには、以下の（１）（２）の動作を実行させる構成とすることで、所期の目的を達成するものである。
（１）オンライン地点と、このオンライン地点の他者評価を、前記表示部に表示させる。（２）（１）の表示部に表示されたオンライン地点を目的地設定した場合には、表示部に自評価入力欄を表示させる。
【発明の効果】
【０００７】
以上のように、本発明は、現在位置を取得する現在位置取得手段と、この現在位置取得手段に接続された制御部と、この制御部に接続された地図情報記憶部、ディスプレイ、入力部、およびオンライン通信部と、このオンライン通信部で受信した情報を保存する情報保存部とを備えたものである。
【０００８】
また、前記制御部は、前記入力部によって、ピックアップ希望情報が入力された場合で、前記表示部に表示されている現在位置の地図上において、そのピックアップ希望情報に合致するオンライン地点が前記情報保存部に存在するときには、オンライン地点と、このオンライン地点の他者評価を、前記表示部に表示させるものであるので、他者評価を参考
として目的地設定を行うことになる。
【０００９】
このため、訪れた目的地が、例えば店が食堂であった場合、料理の味や店の雰囲気が好ましくない状態となることは少なく、その結果として、使い勝手の良いものになる。
【００１０】
また、表示部に表示されたオンライン地点を目的地設定した場合には、表示部に自評価入力欄を表示させるので、自分の評価を入力し、それの評価結果が高いものは、自分のお勧め地点登録することもでき、この点からも使い勝手の良いものになる。
【図面の簡単な説明】
【００１１】
【図１】本発明の一実施形態におけるナビゲーション装置を搭載した自動車の内部正面図
【図２】同ナビゲーション装置の制御ブロック図
【図３】同ナビゲーション装置の動作状態を示す図
【図４】同ナビゲーション装置の動作状態を示す図
【図５】同ナビゲーション装置の動作状態を示す図
【図６】同ナビゲーション装置の動作状態を示す動作フローチャート
【図７】同ナビゲーション装置の動作状態を示す動作フローチャート
【図８】同ナビゲーション装置の動作状態を示す動作フローチャート
【図９】同ナビゲーション装置の動作状態を示す動作フローチャート
【発明を実施するための形態】
【００１２】
以下、本発明の一実施の形態を添付図面を用いて説明する。
【００１３】
（実施の形態１）
図１において、１は、自動車で、その車内２の前方にはハンドル３が配置されている。また、ハンドル３の左方にはナビゲーション装置４が配置されている。
【００１４】
さらに、これらハンドル３、ナビゲーション装置４の後方には、運転席５と助手席６が配置されている。
【００１５】
図２はナビゲーション装置４の制御ブロックを示しており、現在位置を取得する現在位置取得手段７と、この現在位置取得手段７に接続された制御部８と、この制御部８に接続された地図情報記憶部９、ディスプレイ（表示部の一例）１０、入力部１１、およびオンライン通信部１２と、このオンライン通信部１２で受信した情報を保存する情報保存部１３とを備えている。
【００１６】
前記現在位置取得手段７は、よく知られているように、ＧＰＳ受信部１４、車速パルス検出部１５、ジャイロセンサー１６によって構成されている。
【００１７】
また、制御部８には、その他に、情報の絞込みを行う通知判定部１７、評価情報の判定を行う評価判定部１８、地図情報の探索、案内を行う探索・案内部１９、ディスプレイ１０上において、地図情報やその地図上への表示内容を形成する描画部２０、スピーカ２１により音声案内を行う音声部２２、ディスプレイ１０とスピーカ２１への出力を行うための出力部２３が接続されている。
【００１８】
なお、前記入力部１１は、ディスプレイ１０上において形成されているタッチパネルスイッチによって構成されている。
【００１９】
また、この入力部１１には、情報保存部２４が接続されている。
【００２０】
さらに、探索・案内部１９、描画部２０、音声部２２には、情報保存部２５が接続されている。
【００２１】
また、オンライン通信部１２は、携帯電話（携帯取得端末の一例）２６を介し、通信サーバー２７からのオンライン情報を取得するもので、取得されたオンライン情報は情報保存部１３に順次更新されながら保存されるようになっている。
【００２２】
以上の構成において、本実施形態のナビゲーション装置も、よく知られたように、入力部１１によって目的地を設定すれば、現在位置を含む地図と、その目的地に向けての案内ルートが、ディスプレイ１０に表示され、またスピーカ２１からの音声案内も行われる。
【００２３】
本実施形態において特徴的なのは、操作者が、入力部１１からピックアップ希望情報を入力することができると言うことである。
【００２４】
ピックアップ希望情報とは、運転経路の近傍に、運転者や同乗者の希望する地点が存在する情報を言う。例えば、「焼きたてパン」を食べたいと思っている人物は、このピックアップ希望情報として、「焼きたてパン」と言う入力を入力部１１から行う。また、バラを鑑賞したいと思っている人物は、このピックアップ希望情報として、「バラ鑑賞」と言う入力を入力部１１から行う。
【００２５】
今回、「焼きたてパン」と言うピックアップ希望情報を入力部１１から入力すると、制御部８により、その情報は、情報の絞込みを行う通知判定部１７と、情報保存部２４に入力される（図６のＳ１）。
【００２６】
次に、制御部８は、通知判定部１７における絞込み条件を、オンライン通信部１２と、情報保存部１３に伝達し、絞り込み条件を更新する（図６のＳ２）。
【００２７】
次に、制御部８は、現在位置取得手段７からの情報により、現在位置を取得する（図６のＳ３）。
【００２８】
次に、制御部８は、通知判定部１７により、現在位置近傍のパン屋が発する最新情報が有るか、否かの絞込み検索を行う（図６のＳ４）。
【００２９】
そして、この検索結果として、最新情報を発しているパン屋が、現在位置近傍に存在するときには、その情報は、情報保存部１３に保存されているので、次に制御部８は、この情報保存部１３から地図描画に必要な情報と音声情報を取得する（図７のＳ５）。
【００３０】
そして、映像情報は描画部２０によって画像化し、情報保存部２５に保存する（図７のＳ６）。
【００３１】
なお、音声情報は、音声部２２を介し、映像情報に関連付けられ、情報保存部２５に保存される（図７のＳ６）。
【００３２】
次に、制御部８は、情報保存部２５に保存された映像情報を、ディスプレイ１０に表示されている現在地図上に重畳して表示させる（図７のＳ７）。
【００３３】
その状態が、図３の状態であり、各種パン屋が沢山存在していても、「焼きたてパン」と言うピックアップ希望情報を発信しているパン屋だけが、表示される。
【００３４】
この図３においては、３軒のパン屋がメッセージ（吹き出し）をともなって表示されている。
【００３５】
その内の、一軒のパン屋の吹き出しを指で操作すると、図４のごとく詳細な情報がディスプレイ１０に文字で表示され、また音声がスピーカ２１から発せられる（図８のＳ８）。
【００３６】
ここで、特徴的なのは、本実施形態においては、「焼きたてパン」が何時に焼きあがったかと言うことだけでなく、他者の評価が表示、音声案内されることである。
【００３７】
図４の例では評価が５段階中の３であることが表示、音声案内されているので、この評価を他の２軒のパンやの評価と比較し、目的地を選択できるということである。
【００３８】
目的地の設定は、図４のディスプレイ１０中に表示された操作部２８を操作すれば、制御部８は選択されたパン屋を目的地として、案内することになる（図８のＳ９、Ｓ１０）。
【００３９】
そして、目的地に到着すると（図８のＳ１１）、制御部８は情報保存部２５に目的地到着を記憶させる（図８のＳ１２）。
【００４０】
なお、Ｓ９において、いずれのパン屋も選択しなければ、ディスプレイ１０の表示は、所期の目的地への案内顔面に戻る（図８のＳ１３）。
【００４１】
さて、選択したパン屋で「焼きたてパン」を購入し、それを食した人物が、次にナビゲーション装置を起動すると、制御部８は評価判定部１８が作成する評価画面をディスプレイ１０に、図５のごとく表示させる（図９のＳ１４、１５）。
【００４２】
したがって、直ちにこの図５の評価画面の操作部１０ａから評価を入力し、次に操作部１０ｂにより入力完了を入力する（図９のＳ１６）。
【００４３】
すると、この評価は、評価判定部１８から、オンライン通信部１２、携帯電話（携帯取得端末の一例）２６を介し、通信サーバー２７に返信される（図９のＳ１７）。
【００４４】
なお、この図５の評価画面で評価を「４」または「５」にした場合には、自分としてのお勧め地点登録して、情報保存部２４に保存することもできる（図９のＳ１８、１９）。
【００４５】
そして、このような評価が完了すると、ディスプレイ１０には、所期の目的地への案内画面が表示される（図９のＳ２０）。
【００４６】
本実施形態での他の特徴点としては、目的地への到着と、評価の入力が行われた場合には、制御部８は、次回以降は、このパン屋の評価画面をディスプレイ１０中に表示させないようにしていることである。
【００４７】
つまり、同一人物による、故意の複数回入力が発生すると、評価の信頼性が低くなることが有るので、それを防止し、評価の信頼性を高めるようにしているのである。
【００４８】
以上のごとく本実施形態によれば、前記制御部８は、入力部１１によって、ピックアップ希望情報が入力された場合で、前記ディスプレイ（表示部の一例）１０に表示されている現在位置の地図上において、そのピックアップ希望情報に合致するオンライン地点が前記情報保存部１３に存在するときには、オンライン地点と、このオンライン地点の他者評
価を、前記ディスプレイ（表示部の一例）１０に表示させるものであるので、他者評価を参考として目的地設定を行うことになる。
【００４９】
このため、訪れた目的地が、例えば店が食堂であった場合、料理の味や店の雰囲気が好ましくない状態となることは少なく、その結果として、使い勝手の良いものになる。
【００５０】
また、ディスプレイ（表示部の一例）１０に表示されたオンライン地点を目的地設定した場合には、ディスプレイ（表示部の一例）１０に自評価入力欄を表示させるので、自分の評価を入力し、それの評価結果が高いものは、自分のお勧め地点登録することもでき、この点からも使い勝手の良いものになる。
【００５１】
さらに、目的地への到着と、評価の入力が行われた場合には、制御部８は、次回以降はこのパン屋の評価画面をディスプレイ１０中に表示させないようにしているので、同一人物による、故意の複数回入力による、評価の信頼性低下を防ぐことが出来る。
【００５２】
なお、評価項目としては、ピックアップ希望情報に応じて、味、雰囲気、値段などが適宜設定される。
【産業上の利用可能性】
【００５３】
以上のように本発明においては、入力部によって、ピックアップ希望情報が入力された場合で、前記表示部に表示されている現在位置の地図上において、そのピックアップ希望情報に合致するオンライン地点が情報保存部に存在するときには、オンライン地点と、このオンライン地点の他者評価を、前記表示部に表示させるものであるので、他者評価を参考として目的地設定を行うことになる。
【００５４】
このため、訪れた目的地が、例えば店が食堂であった場合、料理の味や店の雰囲気が好ましくない状態となることは少なく、その結果として、使い勝手の良いものになる。
【００５５】
また、表示部に表示されたオンライン地点を目的地設定した場合には、表示部に自評価入力欄を表示させるので、自分の評価を入力し、それの評価結果が高いものは、自分のお勧め地点登録することもでき、この点からも使い勝手の良いものになる。
【００５６】
したがって、ナビゲーション装置としての活用が期待される。
【符号の説明】
【００５７】
１  自動車
２  車内
３  ハンドル
４  ナビゲーション装置
５  運転席
６  助手席
７  現在位置取得手段
８  制御部
９  地図情報記憶部
１０  ディスプレイ（表示部の一例）
１０ａ，１０ｂ  操作部
１１  入力部
１２  オンライン通信部
１３  情報保存部
１４  ＧＰＳ受信部
１５  車速パルス検出部
１６  ジャイロセンサー
１７  通知判定部
１８  評価判定部
１９  探索・案内部
２０  描画部
２１  スピーカ
２２  音声部
２３  出力部
２４  情報保存部
２５  情報保存部
２６  携帯電話（携帯取得端末の一例）
２７  通信サーバー
２８  操作部
【図１】
2013152098.tif 000003
【図２】
2013152098.tif 000004
【図３】
2013152098.tif 000005
【図４】
2013152098.tif 000006
【図５】
2013152098.tif 000007
【図６】
2013152098.tif 000008
【図７】
2013152098.tif 000009
【図８】
2013152098.tif 000010
【図９】
2013152098.tif 000011